(57)【要約】【課題】上端より突出したステム４を押し下げるとにより収納液を噴出する一対の容器体２に対して装着する櫛型の吐出具であって、洗浄が行い易くて長期に渡る使用が行え、また、構造が簡単で部材数が少なく、製造が容易でコストの低減が図れる櫛型吐出具を提案する。【解決手段】各ステム４に嵌合する一対の嵌合筒１０を有する本体７と、該本体上に開閉可能に連結して本体とで混合室Ｒを画成した蓋体８と、蓋体上に複数並設した櫛歯９とを備え、混合室に一端を開口して櫛歯内を通り、櫛歯表面に他端を開口する液流路２２を設けた。そして使用後各容器体から外し、混合室を開いての洗浄を行える如く構成した。【選択図】図１
2004149192.tif 000002
【特許請求の範囲】
【請求項１】
上端より突出したステム４を押し下げることにより収納液を噴出する一対の容器体２に対して装着する櫛型吐出具であって、上記各ステム４に嵌合する一対の嵌合筒１０上端の液導入口ａを底板１１にそれぞれ開口するとともに、各液導入口ａを囲んで環状の下部区画壁１２を立設した本体７と、該本体上に開閉可能に連結するとともに、上記下部区画壁１２に液密に嵌合して内部に混合室Ｒを画成した上部区画壁１４を頂板１５より垂設してなる蓋体８と、蓋体８上に複数並設した櫛歯９とを備え、上記混合室Ｒに一端を開口して櫛歯９内を通り、櫛歯９表面に他端を開口する液流路２２を設けてなることを特徴とする櫛型吐出具。
【請求項２】
上記本体７と蓋体８との開閉可能な連結が、薄肉ヒンジ１６を介しての開閉可能な連結であり、本体７と蓋体８とを一体に形成してなる請求項１記載の櫛型吐出具。
【発明の詳細な説明】
【０００１】
【発明の属する技術分野】
本発明は櫛型吐出具に関する。
【０００２】
【従来の技術】
２液を別々に収納し、使用時に混合して櫛型吐出具より吐出する如く構成した容器が知られている（例えば、特許文献１参照）。この容器は、内部を第１収納液部と第２収納液部とに底板部材で区画した特殊構成の２液収納容器体と、櫛型の吐出具とを備え、使用時にキャップを外し、櫛型吐出具の装着筒を螺着させることにより、液収納容器体内の底板部材を押し下げて両者を区画する底板を外し、２液が混合する如く構成したものである。また、ここで使用されている櫛型吐出具は、装着筒の頂板に下端を開口して注出筒を立設するとともに、注出筒の前面より多数突設した櫛歯内を貫通してその前部と注出筒内とをそれぞれ連通する通液路を設けている。
【０００３】
また、上方付勢状態で上方へステムを突出した２つの容器体に対して装着し、各容器体内の液を混合して吐出する吐出具として、櫛型の形態をなすものが知られている（例えば、特許文献２参照）。この容器は、２個のエアゾール容器体をその上部を結束部材で結束し、また、各容器体のステムにそれぞれ被着させた筒状部分を横筒で連結して内部を連結させた押釦を備え、この押釦前面に突設した一対の連結管を介して櫛型の吐出具を嵌着させている。
【０００４】
櫛型吐出具は、各連結管に連結させて前面から平行に突出する複数本の歯を備えており、互いに隣接する歯の先端近辺の側面に、それぞれ一方の連結管と連通する噴出口が設けられ、液吐出により２液は表面で混合する如く構成している。
【０００５】
【特許文献１】
特開平１０−３２４３４０号公報（第２−３頁，図１）
【特許文献２】
特開平１０−２３６５３９号公報（第２−８頁，図１，図１３１
【０００６】
【発明が解決しようとする課題】
上記従来のこの種の容器は、２液を簡単な操作で混合してそのまま櫛歯を当てて吐出することができ、取り扱いが極めて便利なものである。また、この種容器は使用前には別々の状態で２液を保管しておかなければならないため、一旦使用すると混合液が液流路内に残存して再び使用するのには不都合がある。従って、後者の場合には液流路を歯先端の吐出口までそれぞれ別経路で形成しているが、構造が複雑となる不都合がある。
【０００７】
本発明は上記した点に鑑みてなされたもので、従来の吐出具の特性をいかしつつ、しかも洗浄が行い易く、長期に渡る使用が行え、また、構造が簡単でかつ部材数が少なく、その結果、製造が容易でコストの低減が図れる櫛型吐出具を提案するものである。
【０００８】
【課題を解決するための手段】
本請求項１発明の櫛型吐出具は、上記課題を解決するため、上端より突出したステム４を押し下げることにより収納液を噴出する一対の容器体２に対して装着する櫛型吐出具であって、上記各ステム４に嵌合する一対の嵌合筒１０上端の液導入口ａを底板１１にそれぞれ開口するとともに、各液導入口ａを囲んで環状の下部区画壁１２を立設した本体７と、該本体上に開閉可能に連結するとともに、上記下部区画壁１２に液密に嵌合して内部に混合室Ｒを画成した上部区画壁１４を頂板１５より垂設してなる蓋体８と、蓋体８上に複数並設した櫛歯９とを備え、上記混合室Ｒに一端を開口して櫛歯９内を通り、櫛歯９表面に他端を開口する液流路２２を設けてなることを特徴とする櫛型吐出具として構成した。
【０００９】
また、請求項２発明の櫛型吐出具は、上記本体７と蓋体８との開閉可能な連結が、薄肉ヒンジ１６を介しての開閉可能な連結であり、本体７と蓋体８とを一体に形成してなる請求項１記載の櫛型吐出具として構成した。
【００１０】
【発明の実施の形態】
以下、本発明の実施例の形態を図面を参照して説明する。
【００１１】
図面は塗布容器１であり、一対の容器体２と、各容器体２を結束するリング３と櫛型吐出具Ａとを備えている。各容器体２は、上面より突出したステム４を押し下げることにより容器体内の液を噴出することができる噴出機構を備えたものを使用する。噴出機構の形態は、上記要件を満たせば種々の公知機構を採用でき、例えば、シリンダとピストンとを備えた一般的なポンプ構造を備えたもの、或いはエアゾールタイプのもの等を採用できる。図示例では、エアゾールタイプの噴出機構を備え、口頸部外周に凹溝５を周設した容器体２を使用している。
【００１２】
リング３は、各容器体２を結束する手段の一つであり、図示例では、横長楕円筒状をなし、内周下部に突条６を突周設している。そして、胴部を接触して並列させた各容器体２の口頸部外周に下部を嵌合させ、その突条６を各容器体の上記凹溝５に係合させて両容器体を結束している。尚、結束手段はこれに限られず、両容器体を一体に固定する他の手段を用いることも可能である。
【００１３】
櫛型吐出具Ａは、本体７と、蓋体８と、櫛歯９とを備えている。
【００１４】
本体７は、各容器体２のステム４に嵌着した一対の嵌合筒１０上端の液導入口ａを開口した底板１１上に、各液導入口ａを囲んで環状の下部区画壁１２立設している。図示例では、底板１１周縁部より下方へ垂下壁１３を垂設して、上記リング３内に下端部を押し下げ可能に挿入している。
【００１５】
蓋体８は、上記本体７上に開閉可能に連結したもので、上記下部区画壁１２に液密且つ開閉可能の嵌合させた環状の上部区画壁１４を頂板１５より垂設して内部を混合室Ｒとして画成している。図示例では、上記底板１１の後部中央部に薄肉ヒンジ１６を介して後部下端中央部を一体に連結した周壁１７の上端縁より上記頂板１５を延設しており、本体７上に開閉可能に形成している。また、頂板１５上面には、櫛歯９を嵌着させるための支持筒１８を立設し、その内周に係合突条１９を突周設している。更に、支持筒１８内の頂板１５は混合室Ｒの大きさを調整する目的で若干下方に下げて形成しており、この部分に後述する液流路を形成するための下端を開口した連結筒２０を、所定数間隔をあけて一列に複数立設している。また、周壁１７の前面より指掛け用の突片２１を突設している。
【００１６】
櫛歯９は、蓋体８上に嵌着固定して複数並設したもので、上記混合室Ｒに一端を開口して櫛歯９内を通り、その表面に他端を開口する液流路２２を設けている。
【００１７】
図示例では、各櫛歯９を一体に形成した櫛歯部材２３を蓋体８上に嵌着して構成している。この櫛歯部材２３は、上記支持筒１８内周に嵌合させた装着筒２４の上端より頂板状の連結板２５を延設するとともに、この連結板２５上に矛先形状の櫛歯９を複数間隔をあけて並設している。また、両側の櫛歯９を除く各櫛歯９の連結板２５下面からは液流路２２の一部を形成する連結筒部２６を垂設している。各櫛歯９に設けた液流路２２は、上記連結筒部２６内より櫛歯９内部中央を上部まで上昇する縦孔２２ａ  と、縦孔２２ａ  上端に連通させて櫛歯９上部を横断する横孔２２ｂ  とから構成している。尚、連結板２５の両側端の櫛歯９はその構造上液流路２２を設ていない。そして、上記連結筒部２６を本体頂板１５の連結筒２０にそれぞれ嵌合させて混合室Ｒ内と液流路２２とを連通した状態で、装着筒２４を支持筒１８内周に嵌合させ、櫛歯部材２３を蓋体８上に嵌着固定している。この際装着筒２４外周の突条が上記係合突条１９と係合して抜け出しの防止を図っている。
【００１８】
上記の如く構成した塗布容器１は、例えば、蓋体８上面を押し下げることにより、各ステム４を押し下げ、各容器体内の液が混合室Ｒ内に導入されて混合し、次いで各液流路２２を通って櫛歯９の先端部から吐出される。使用後は、例えば塗布具１を各容器体２から外した後、蓋体８を開いて混合室Ｒ内及び各液流路２２内、各嵌合筒１０内を洗浄する。
【００１９】
【発明の効果】
以上説明した如く本発明の櫛型塗布具は、既述構成としたことにより、２液を簡単な操作で混合してそのまま櫛歯を当てて注出することができ、取り扱いが極めて便利なものである。また、使用後の洗浄が行い易く、汚れも充分取り除くことができるため長期に渡る使用が行える。また、極力部材数を減らし、その結果、製造が容易でコストの低減が図れるものであり、特に本体と蓋体とを一体に形成したものではその効果が顕著となる。
【図面の簡単な説明】
【図１】本発明の一実施例を示す縦断面図である。
【図２】同実施例の容器体間の部分の縦断面図である。
【図３】同実施例の斜視図である。
【符号の説明】
２…容器体，４…ステム、７…本体，８…蓋体，９…櫛歯，１１…底板，
１２…下部区画壁，１４…上部区画壁，１５…頂板，２２…液流路，Ｒ…混合室，
ａ…液導入口
【図１】
2004149192.tif 000003
【図２】
2004149192.tif 000004
【図３】
2004149192.tif 000005